(57)【要約】【課題】外気導入口にフィルタを設置して異物や塵埃を除去可能とするとともに、そのフィルタを室内側ユニットの正面から簡易に着脱自在とし、清掃等のメンテナンスを容易化した一体型空気調和機を提供することを目的とする。【解決手段】室内側ユニット４と、室外側ユニット５とが一体化されている一体型空気調和機１にあって、室内空気流路９と、室外側ユニット５の室外ファンの吹出し流路２２とが外気導入路２３を介して連通され、該外気導入路２３の室内空気流路９への開口部に外気導入用のダンパ２４が開閉自在に設けられているとともに、該外気導入路２３に室内側ユニット４の正面からアクセス可能で、外気導入路２３に対して着脱自在に装着されるフィルタ２６が設けられている。【選択図】図３
2014178075.tif 000002
【特許請求の範囲】
【請求項１】
空気吸込み口から吸込んだ室内空気を室内熱交換器、室内ファンを経て空気吹出し口から室内に吹出す室内空気流路を備えた室内側ユニットと、外気吸込み口から吸込んだ外気を室外ファン、室外熱交換器を経て室外に吹出す室外側ユニットと、が一体化されている一体型空気調和機において、
前記室内空気流路と、前記室外側ユニットの前記室外ファンの吹出し流路とが外気導入路を介して連通され、
前記外気導入路の前記室内空気流路への開口部に外気導入用のダンパが開閉自在に設けられているとともに、
前記外気導入路に前記室内側ユニットの正面からアクセス可能で、外気導入路に対して着脱自在に装着されるフィルタが設けられていることを特徴とする一体型空気調和機。
【請求項２】
前記外気導入路は、ユニット本体の内部を前記室内側ユニットと前記室外側ユニットとに区画する仕切り壁を貫通するように、前記室内空気流路と前記室外ファンの前記吹出し流路との間に設けられ、前記室外ファンから吹出された外気が導入可能な構成とされていることを特徴とする請求項１に記載の一体型空気調和機。
【請求項３】
前記フィルタは、前記室内側ユニットの前記空気吹出し口の出口部付近に差し込み口が設けられ、その差し込み口から前記外気導入路の入口部を横切るように延長されたフィルタガイドに沿って差し込むことにより、着脱自在とされていることを特徴とする請求項１または２に記載の一体型空気調和機。
【請求項４】
前記フィルタの一端部には、把手部が一体に設けられ、該把手部が前記空気吹出し口の出口部付近において前記室内空気流路の一部を形成していることを特徴とする請求項３に記載の一体型空気調和機。
【請求項５】
前記ダンパは、前記外気導入路の前記開口部に平行四辺形リンクを介して開閉自在に設置され、前記開口部を開く時、前記室内空気流路側に平行移動可能な構成とされていることを特徴とする請求項１ないし４のいずれかに記載の一体型空気調和機。
【請求項６】
前記ダンパは、前記室内空気流路の内面に沿った形状の板状ダンパとされていることを特徴とする請求項５に記載の一体型空気調和機。
【発明の詳細な説明】
【技術分野】
【０００１】
本発明は、室内側ユニットと室外側ユニットとが一体化されている一体型空気調和機に関するものである。
【背景技術】
【０００２】
従来から、空気吸込み口から吸込んだ室内空気を室内熱交換器、室内ファンを経て空気吹出し口から室内に吹出す室内空気流路を備えた室内側ユニットと、外気吸込み口から吸込んだ外気を室外ファン、室外熱交換器を経て室外に吹出す室外側ユニットとが一体化されている一体型の空気調和機は知られている。かかる一体型空気調和機は、一般にユニット本体内を仕切り壁によって２室に区画し、その一方に室内側ユニットの構成機器、他方に室外側ユニットの構成機器を配置した構成とされている。
【０００３】
このような一体型の空気調和機において、室内に換気用の外気を導入する場合、例えば特許文献１に示されるように、室内側と室外側とを区画する仕切り壁に外気導入口（給気口）を設けるとともに、その外気導入口にダンパを設けた構成とし、外気導入時、ダンパを開くことにより、室外ファンから吹出された一次空気（外気）を室内側の空気流路中に導入し、温調風と共に室内に吹出すようにしていた。
【先行技術文献】
【特許文献】
【０００４】
【特許文献１】特開昭６４−５７０３０号公報
【発明の概要】
【発明が解決しようとする課題】
【０００５】
上記したように、一体型空気調和機にあっては、室内側と室外側とを仕切る仕切り壁に外気導入口およびダンパを設けることにより、換気に必要な外気を随時室内に導入することができる。しかし、単に仕切り壁に外気導入口を設け、そこから外気を導入する構成とした場合、外気中に異物や塵埃が混入していると、それがそのまま外気導入口を経て室内に導入されてしまうことになる。このため、外気導入口に異物や塵埃を除去するフィルタを設置することが望ましいことは云うまでもない。
【０００６】
ところが、仕切り壁は、ユニット本体の内部に設けられており、その仕切り壁に設けられた外気導入口にフィルタを設置した場合、フィルタを取り外して清掃する等のメンテナンスを行う際、ユニット本体の内部に設置されているフィルタに対して、ユニット本体の外形を構成するパネル等を取り外してアクセスする必要があり、作業が煩わしくフィルタの清掃が滞りがちになる等の課題を有していた。
【０００７】
本発明は、このような事情に鑑みてなされたものであって、外気導入口にフィルタを設置して異物や塵埃を除去可能とするとともに、そのフィルタを室内側ユニットの正面から簡易に着脱自在とし、清掃等のメンテナンスを容易化した一体型空気調和機を提供することを目的とする。
【課題を解決するための手段】
【０００８】
上記した課題を解決するために、本発明の一体型空気調和機は以下の手段を採用する。
すなわち、本発明にかかる一体型空気調和機は、空気吸込み口から吸込んだ室内空気を室内熱交換器、室内ファンを経て空気吹出し口から室内に吹出す室内空気流路を備えた室内側ユニットと、外気吸込み口から吸込んだ外気を室外ファン、室外熱交換器を経て室外に吹出す室外側ユニットと、が一体化されている一体型空気調和機において、前記室内空気流路と、前記室外側ユニットの前記室外ファンの吹出し流路とが外気導入路を介して連通され、前記外気導入路の前記室内空気流路への開口部に外気導入用のダンパが開閉自在に設けられているとともに、前記外気導入路に前記室内側ユニットの正面からアクセス可能で、外気導入路に対して着脱自在に装着されるフィルタが設けられていることを特徴とする。
【０００９】
本発明によれば、室内側ユニットと、室外側ユニットとが一体化されている一体型空気調和機にあって、室内空気流路と、室外側ユニットの室外ファンの吹出し流路とが外気導入路を介して連通され、該外気導入路の室内空気流路への開口部に外気導入用のダンパが開閉自在に設けられているとともに、該外気導入路に室内側ユニットの正面からアクセス可能で、外気導入路に対して着脱自在に装着されるフィルタが設けられているため、外気導入路の室内空気流路への開口部に設けられているダンパを開き、室外ファンの吹出し流路から外気を室内空気流路へと導入し、温調風と共に空気吹出し口を経て室内に吹出すことによって、室内に新鮮な外気を導入することができる。また、外気導入路にフィルタが設けられており、そのフィルタを室内側ユニットの正面からアクセスして着脱できることから、外気中に混入している異物や塵埃をフィルタにより除去し、その異物や塵埃を除去したフィルタをユニットの正面から着脱して清掃することができる。従って、一体型の空気調和機に対して、本来の空調機能を損なうことなく、簡易に換気機能を付加することができると同時に、フィルタにより異物や塵埃を除去して清浄化した外気のみを室内に導入することができ、しかも、そのフィルタをユニット正面から簡易に着脱して清掃できることから、常に清浄度を維持することができる。
【００１０】
さらに、本発明の一体型空気調和機は、上記の一体型空気調和機において、前記外気導入路は、ユニット本体の内部を前記室内側ユニットと前記室外側ユニットとに区画する仕切り壁を貫通するように、前記室内空気流路と前記室外ファンの前記吹出し流路との間に設けられ、前記室外ファンから吹出された外気が導入可能な構成とされていることを特徴とする。
【００１１】
本発明によれば、外気導入路が、ユニット本体の内部を室内側ユニットと室外側ユニットとに区画する仕切り壁を貫通するように、室内空気流路と室外ファンの吹出し流路との間に設けられ、室外ファンから吹出された外気が導入可能な構成とされているため、外気導入路に設けられているダンパを開くことにより、室外ファンから吹出された空気をそのまま室内空気流路に導入し、温調風と共に室内に吹出すことができる。従って、外気を導入するための新たな動力源を必要とせず、既存の室内・外ファンを利用して効率よく外気を取り入れることができる。
【００１２】
さらに、本発明の一体型空気調和機は、上述のいずれかの一体型空気調和機において、前記フィルタは、前記室内側ユニットの前記空気吹出し口の出口部付近に差し込み口が設けられ、その差し込み口から前記外気導入路の入口部を横切るように延長されたフィルタガイドに沿って差し込むことにより、着脱自在とされていることを特徴とする。
【００１３】
本発明によれば、フィルタが、室内側ユニットの空気吹出し口の出口部付近に差し込み口が設けられ、その差し込み口から外気導入路の入口部を横切るように延長されたフィルタガイドに沿って差し込むことにより、着脱自在とされているため、室内側ユニットの空気吹出し口の出口部付近に設けられている差し込み口からフィルタをフィルタガイドに沿って差し込むことにより、外気導入路の入口部を横断するようにフィルタをセットすることができ、また、そのフィルタを引き抜くことによって簡単に室内側ユニットから取り出すことができる。従って、一体型空気調和機の室内側ユニットと室外側ユニットとを区画する仕切り壁に外気導入路を設けたものでありながら、その外気導入路に設けられるフィルタを簡易に着脱し、清掃することができる。
【００１４】
さらに、本発明の一体型空気調和機は、上記の一体型空気調和機において、前記フィルタの一端部には、把手部が一体に設けられ、該把手部が前記空気吹出し口の出口部付近において前記室内空気流路の一部を形成していることを特徴とする。
【００１５】
本発明によれば、フィルタの一端部に把手部が一体に設けられ、該把手部が空気吹出し口の出口部付近において室内空気流路の一部を形成しているため、空気吹出し口の出口部付近にフィルタの差し込み口を設け、そこからフィルタを着脱する構成としても、フィルタの把手部が空気の流れを阻害することがなく、温調風や外気導入路から導入した外気を円滑に吹出すことができる。従って、空気吹出し口の出口部付近にフィルタの把手部を設置しても、それが空気流を乱して騒音の要因となり、あるいは外観を阻害する等のおそれがなく、フィルタの着脱を容易化して操作性を向上することができる。
【００１６】
さらに、本発明の一体型空気調和機は、上述のいずれかの一体型空気調和機において、前記ダンパは、前記外気導入路の前記開口部に平行四辺形リンクを介して開閉自在に設置され、前記開口部を開く時、前記室内空気流路側に平行移動可能な構成とされていることを特徴とする。
【００１７】
本発明によれば、ダンパが、外気導入路の開口部に平行四辺形リンクを介して開閉自在に設置され、その開口部を開く時、室内空気流路側に平行移動可能な構成とされているため、室内に外気を導入する際、ダンパを平行四辺形リンクにより室内空気流路側に平行移動させて、外気導入路を室内空気流路に開口することができる。従って、ダンパを開閉することによる室内空気流路側での通風抵抗の増大を最小限に抑えると同時に、温調風と外気とのミキシング効果を得ることができる。
【００１８】
さらに、本発明の一体型空気調和機は、上記の一体型空気調和機において、前記ダンパは、前記室内空気流路の内面に沿った形状の板状ダンパとされていることを特徴とする。
【００１９】
本発明によれば、ダンパが、室内空気流路の内面に沿った形状の板状ダンパとされているため、外気の導入時、平行移動して室内空気流路中に位置される板状ダンパを、室内空気流路の内面に沿って流れる空気流と略平行に位置させることができる。従って、ダンパによる通風抵抗の増大を最小限に抑え、ファン動力増加による室内ファンの効率低下や騒音の悪化を抑制することができる。
【発明の効果】
【００２０】
本発明によると、外気導入路の室内空気流路への開口部に設けられているダンパを開いて室外ファンの吹出し流路から外気を室内空気流路に導入し、温調風と共に空気吹出し口を経て室内に吹出すことにより、室内に新鮮な外気を導入することができる。また、外気導入路にフィルタが設けられており、そのフィルタを室内側ユニットの正面からアクセスして着脱できることから、外気中に混入している異物や塵埃をフィルタにより除去し、その異物や塵埃等を除去したフィルタをユニットの正面から着脱して清掃することができるため、一体型の空気調和機に対して、本来の空調機能を損なうことなく、簡易に換気機能を付加することができると同時に、フィルタにより異物や塵埃を除去して清浄化した外気のみを室内に導入することができ、しかも、そのフィルタをユニット正面から簡易に着脱して清掃できることから、常に清浄度を維持することができる。
【図面の簡単な説明】
【００２１】
【図１】本発明の一実施形態に係る一体型空気調和機の外気導入路およびダンパ設置部付近の縦断面図である。
【図２】図１の断面を斜め前方から見た斜視図である。
【図３】図１の外気導入路およびダンパ設置部付近の拡大図である。
【発明を実施するための形態】
【００２２】
以下に、本発明の一実施形態について、図１ないし図３を参照して説明する。
図１には、本発明の一実施形態に係る一体型空気調和機の外気導入路およびダンパ設置部付近の縦断面図が示され、図２には、その斜視図、図３には、その外気導入路およびダンパ設置部付近の拡大図が示されている。
一体型空気調和機１は、矩形状の縦、横寸法に対して、奥行き寸法が薄くされた立体形の筐体であるユニット本体２を備えている。このユニット本体２の内部は、仕切り壁３により上部側と下部側に区画されており、上部側が室内側ユニット４、下部側が室外側ユニット５とされている。
【００２３】
室内側ユニット４を構成するユニット本体２の上面には、室内空気を吸い込む吸込みグリル６を備えた空気吸込み口７が略全面に亘って設けられており、また、正面の中央よりやや上部側には、水平方向の略全長に亘って空気吹出し口８が設けられている。室内側ユニット４の内部には、空気吸込み口７から吸込んだ室内空気を空気吹出し口８に導く室内空気流路９が形成され、その室内空気流路９には、上流側からプレフィルタ１０、空気浄化フィルタ１１、室内熱交換器１２、室内ファン（クロスフローファン）１３が順次配設されている。
【００２４】
室内熱交換器１２は、複数に分割され、断面が略Λ形状をなすように折り曲げて配置されており、その内側空間に臨むように室内ファン（クロスフローファン）１３が配置された構成とされている。略Λ形状をなす室内熱交換器１２の下端部には、それぞれドレンパン１４，１５が配設されている。また、空気吹出し口８には、吹出し風の方向を左右方向に調整する複数枚のルーバ１６と、上下方向に調整するフラップ１７とが吹出し方向に前後してそれぞれ回動自在に配置されている。
【００２５】
ユニット本体２の下部側の室外側ユニット５内には、図示省略の外気ダクトおよび外気吸込み口１８を介して室外から外気を吸込む室外ファン（ターボファン）１９、その駆動モータ２０、室外ファン１９の吹出し側に配置されている室外熱交換器２１、図示省略の圧縮機等々の室外側機器が配設されており、更に室外熱交換器２１を流通した外気が図示省略の外気吹出し口および外気ダクトを介して室外に排出される構成とされている。
【００２６】
上記構成の一体型空気調和機１において、室内に外気を導入するため、図３に示されるように、室内空気流路９における室内ファン１３の下流域と、室外ファン１９の吹出し流路２２との間を連通する外気導入路２３が、室内側ユニット４と室外側ユニット５とを仕切っている仕切り壁３を貫通するように設けられている。この外気導入路２３は、横断面が矩形状の流路とされている。
【００２７】
外気導入路２３の室内空気流路９に対する開口部には、外気導入用の板状のダンパ２４が平行四辺形リンク２５を介して開閉自在に設置されている。この板状ダンパ２４は、室内空気流路９の内面形状に沿うように湾曲した形状とされており、開口部を開く時、図３に示されるように、平行四辺形リンク２５を介して室内空気流路９側に平行移動することによって、開口部を開放する構成とされている。
【００２８】
また、外気導入路２３の入口側には、外気中に混入している異物や塵埃を除去するためのフィルタ２６が、フィルタガイド２７を介して着脱自在に装着されている。このフィルタガイド２７は、図３に示されるように、ユニット本体２の正面における空気吹出し口８の出口部の下縁付近に設けられた差し込み口２８からユニット本体２内に延び、外気導入路２３を横断してその対向面側まで延長されている。上記フィルタ２６は、このフィルタガイド２７に沿って差し込み口２８から引き抜き、または差し込むことにより、着脱自在とされている。
【００２９】
フィルタ２６には、一端部に手で掴むための把手部２９が一体に設けられている。この把手部２９は、フィルタ２６をフィルタガイド２７に沿って差し込み、所定位置にセットしたとき、空気吹出し口８の出口部付近において、室内空気流路９に滑らかに接続されることにより、その一部を形成するとともに、ユニット本体２の正面に開口されているフィルタ２６の差し込み口２８を覆い隠す形状とされている。
【００３０】
以上に説明の構成により、本実施形態によれば、以下の作用効果を奏する。
上記一体型空気調和機１において、空気調和機が運転されると、室内ファン１３が回転されることにより、室内空気が空気吸込み口７からグリル６、フィルタ１０，１１を介して吸込まれ、室内熱交換器１２で冷媒と熱交換されて温調された後、室内空気流路９を経て空気吹出し口８から、ルーバ１６およびフラップ１７で調整された方向に向けて室内へと吹出され、室内が空調される。一方、室外側ユニット５では、室外ファン１９の回転により室外から外気が吸込まれ、室外熱交換器２１を流通後、再び室外へと吹出される。
【００３１】
この際、外気導入路２３に設けられているダンパ２４を開くことにより、室外から新鮮な外気を導入して室内を換気することができる。この外気は、室外ファン１９の吹出し流路２２から外気導入路２３に導入され、室内空気流路９における室内ファン１３の下流域に吹出されて温調風とミキシングされた後、空気吹出し口８から温調風と共に室内に吹出されることになる。そして、この室外から導入される外気中に、もし異物や塵埃が混入していた場合、外気導入路２３の入口部に設置されているフィルタ２６で除去し、新鮮な外気のみを導入することができる。
【００３２】
フィルタ２６は、室内側ユニット４の正面の空気吹出し口８の出口部付近に設けられている差し込み口２８から、把手部２９を掴んで引き抜くことにより簡易に取り外し、清掃できるため、異物や塵埃が堆積したと思われるタイミングで適宜取り外し、清掃することによって、その清浄度を維持することができる。
【００３３】
斯くして、本実施形態によると、一体型空気調和機１にあって、室内空気流路９と室外ファン１９の吹出し流路２２とを外気導入路２３により連通し、その外気導入路２３の室内空気流路９への開口部に外気導入用のダンパ２４が開閉自在に設けるとともに、該外気導入路２３に室内側ユニット４の正面からアクセス可能で、外気導入路２３に対して着脱自在に装着されるフィルタ２６を設けた構成としているため、外気導入路２３の室内空気流路９への開口部に設けられているダンパ２４を開き、室外ファン１９の吹出し流路２２から外気を室内空気流路９へと導入し、温調風と共に空気吹出し口８を経て室内に吹出すことによって、室内に新鮮な外気を導入することができる。
【００３４】
また、外気導入路２３にフィルタ２６を設け、そのフィルタ２３を室内側ユニット４の正面からアクセスして着脱できることから、外気中に混入している異物や塵埃をフィルタ２６によって除去し、その異物や塵埃を除去したフィルタ２６を室内側ユニット４の正面から着脱して清掃することができる。
従って、一体型の空気調和機１に対して、本来の空調機能を損なうことなく、簡易に換気機能を付加することができると同時に、フィルタ２６により異物や塵埃を除去して清浄化した外気のみを室内に導入することができ、しかも、そのフィルタ２６をユニット４の正面から簡易に着脱して清掃できることから、常に清浄度を維持することができる。
【００３５】
また、上記外気導入路２３は、ユニット本体２の内部を室内側ユニット４と室外側ユニット５とに区画する仕切り壁３を貫通するように、室内空気流路９と室外ファン１９の吹出し流路２２との間に設けられ、室外ファン１９から吹出された外気が導入可能とされている。このため、外気導入路２３に設けられているダンパ２４を開くことにより、室外ファン１９から吹出された空気をそのまま室内空気流路９に導入し、温調風と共に室内に吹出すことができる。従って、外気を導入するための新たな動力源を必要とせず、既存の室内・外ファン１３，１９を利用して効率よく外気を取り入れることができる。
【００３６】
さらに、フィルタ２６は、室内側ユニット４の空気吹出し口８の出口部付近に差し込み口２８が設けられ、その差し込み口２８から外気導入路２３の入口部を横切るように延長されているフィルタガイド２７に沿って差し込むことにより着脱自在とされている。このため、空気吹出し口８の出口部付近に設けられている差し込み口２８からフィルタ２６をフィルタガイド２７に沿って差し込むことにより、外気導入路２３の入口部を横断するようにフィルタ２６をセットすることができ、また、そのフィルタ２６を引き抜くことによって簡単に室内側ユニット４から取り出すことができる。
【００３７】
従って、一体型空気調和機１の室内側ユニット４と室外側ユニット５とを区画する仕切り壁３に外気導入路２３を設けたものでありながら、その外気導入路２３に設けられるフィルタ２６をユニット本体２を構成するパネル等を取り外したりすることなく、簡易に着脱し、清掃することができる。
【００３８】
また、本実施形態では、フィルタ２６の一端部に把手部２９を一体に設け、この把手部２９を空気吹出し口８の出口部付近において室内空気流路９の一部を形成する構成としているため、空気吹出し口８の出口部付近にフィルタ２６の差し込み口２８を設け、そこからフィルタ２６を着脱する構成としても、フィルタ２６の把手部２９が空気の流れを阻害することがなく、温調風や外気を円滑に吹出すことができる。従って、空気吹出し口８の出口部付近にフィルタ２６の把手部２９を設置しても、それが空気流を乱して騒音の要因となり、あるいは外観を阻害する等のおそれがなく、フィルタ２６の着脱を容易化して操作性を向上することができる。
【００３９】
さらに、ダンパ２４が、外気導入路２３の開口部に平行四辺形リンク２５を介して開閉自在に設置され、その開口部を開く時、室内空気流路９側に平行移動可能な構成とされている。このため、外気の導入時、ダンパ２４を平行四辺形リンク２５により室内空気流路９側に平行移動させて、外気導入路２３を室内空気流路９に開口することができ、これによって、ダンパ２４を開閉することによる室内空気流路９側での通風抵抗の増大を最小限に抑えると同時に、温調風と外気とのミキシング効果を得ることができる。
【００４０】
また、上記ダンパ２４が、室内空気流路９の内面に沿った形状の板状ダンパ２４とされている。このため、外気の導入時に、平行移動して室内空気流路９中に位置される板状ダンパ２４を、室内空気流路９の内面に沿って流れる空気流と略平行に位置させることができる。従って、ダンパ２４による通風抵抗の増大を最小限に抑え、ファン動力増加による室内ファン１３の効率低下や騒音の悪化を抑制することができる。
【００４１】
なお、本発明は、上記実施形態にかかる発明に限定されるものではなく、その要旨を逸脱しない範囲において、適宜変形が可能である。例えば、上記実施形態では、フィルタ２６の差し込み口２８を、室内側ユニット４の空気吹出し口８の出口部の下縁付近に設けた例について説明したが、差し込み口２８を空気吹出し口８の下方位置に独立して設ける等の構成としてもよい。
【００４２】
また、上記実施形態では、上部に室内側ユニット４、その下部に室外側ユニット５を配置した構成の一体型空気調和機１について説明したが、本発明は、必ずしもこのような構成のものに限定されるものではなく、室内側ユニット４および室外側ユニット５を左右に配置されたもの、前後に配置されたもの等にも同様に適用できることは云うまでもない。
【符号の説明】
【００４３】
１  一体型空気調和機
２  ユニット本体
３  仕切り壁
４  室内側ユニット
５  室外側ユニット
７  空気吸込み口
８  空気吹出し口
９  室内空気流路
１２  室内熱交換器
１３  室内ファン
１８  外気吸込み口
１９  室外ファン
２１  室外熱交換器
２２  吹出し流路
２３  外気導入路
２４  ダンパ（板状ダンパ）
２５  平行四辺形リンク
２６  フィルタ
２７  フィルタガイド
２８  差し込み口
２９  把手部
【図１】
2014178075.tif 000003
【図２】
2014178075.tif 000004
【図３】
2014178075.tif 000005